(57)【要約】【課題】  民家や簡易店舗などの小規模な建造物に対して充分な耐震性を持たせることが可能である耐震構造建造物、更には、現金自動支払機（ＣＤ）や現金自動預払機（ＡＴＭ）等が設置された無人店舗に適用することで現金の盗難を防ぐことが可能となる、耐震性と防犯性を兼ね備えた耐震構造建造物をも提供すること。【解決手段】  基礎上に立設された複数本の柱と、前記基礎上に設けられた床と、前記柱の上部に設けられた屋根と、前記柱の外側に設けられた壁体とにより内部空間を形成してなる建造物であって、アンカーボルトが前記基礎を貫通して地盤の支持層まで打ち込まれてなる耐震構造建造物とする。【選択図】  図１
2005098069.tif 000002
【特許請求の範囲】
【請求項１】
基礎上に立設された複数本の柱と、前記基礎上に設けられた床と、前記柱の上部に設けられた屋根と、前記柱の外側に設けられた壁体とにより内部空間を形成してなる建造物であって、アンカーボルトが前記基礎を貫通して地盤の支持層まで打ち込まれてなることを特徴とする耐震構造建造物。
【請求項２】
前記アンカーボルトが、前記柱の内部及び基礎を貫通して地中に打ち込まれてなるとともに、前記柱の内部にはモルタルが充填されてなることを特徴とする請求項１記載の耐震構造建造物。
【請求項３】
前記アンカーボルトが、前記柱の立設位置と異なる位置において基礎を貫通して地中に打ち込まれてなることを特徴とする請求項１記載の耐震構造建造物。
【請求項４】
複数のアンカーボルトが、複数の柱の近傍位置において夫々該柱と平行に天井部まで上方に延出されてなり、これらアンカーボルトは夫々近傍の柱に対して固定されてなるとともに、前記天井部において互いに連結されてなることを特徴とする請求項３記載の耐震構造建造物。
【請求項５】
前記複数のアンカーボルトが、少なくとも建造物の四隅の柱に沿って設けられた４本のアンカーボルトを含むことを特徴とする請求項４記載の耐震構造建造物。
【請求項６】
隣り合う柱間を繋ぐように補強材が架設されてなることを特徴とする請求項１乃至５いずれかに記載の耐震構造建造物。
【請求項７】
前記柱の振動を検知する振動センサーが設けられてなることを特徴とする請求項１乃至６いずれかに記載の耐震構造建造物。
【請求項８】
現金自動支払機又は現金自動預払機等が設置された無人店舗であることを特徴とする請求項１乃至７いずれかに記載の耐震構造建造物。
【発明の詳細な説明】
【技術分野】
【０００１】
本発明は耐震構造建造物に関し、より詳しくは簡単な構造で木造建ての民家等の建造物に対して高い耐震性を付与することができ、さらに現金自動支払機（ＣＤ）や現金自動預払機（ＡＴＭ）等が設置された無人店舗に適用することで防犯性を高め得る耐震構造建造物に関する。
【背景技術】
【０００２】
我が国は世界でも有数の地震国であり、そのため従来より耐震構造を有する建造物は数多く存在している。
しかしながら、既存の耐震構造建造物の殆どは、高層ビル等の大規模な建造物であり、民家や簡易店舗などの小規模な建造物については耐震構造が採られていないものが殆どであった。しかも、大規模な建造物の耐震構造は大掛かりなものが多くて高コストであり、しかも、その構造上、小規模な建造物にそのまま適用することは困難であった。
尚、民家などの木造建造物に適用可能な耐震構造も種々提案されている（例えば、特許文献１参照）が、これらの技術の多くは耐震性を向上させることはできるものの充分とは言えなかった。
【０００３】
【特許文献１】特開２０００−３５２２１８号公報
【０００４】
また、従来より、ＣＤやＡＴＭ等からの現金盗難を防ぐ為の技術は数多く提案されているが、その殆どはＣＤやＡＴＭ自体に防犯用の仕組みを施したものである。そのため、近年多発しているショベルカーなどの重機により店舗を破壊してＣＤやＡＴＭごと現金を持ち去るという犯罪には全く対応することができなかった。
【発明の開示】
【発明が解決しようとする課題】
【０００５】
本発明は上記したような従来技術のもつ課題を解決すべくなされたものであって、民家や簡易店舗などの小規模な建造物に対して充分な耐震性を持たせることが可能である耐震構造建造物を提供しようとするものであり、更には、現金自動支払機（ＣＤ）や現金自動預払機（ＡＴＭ）等が設置された無人店舗に適用することで現金の盗難を防ぐことが可能となる、耐震性と防犯性を兼ね備えた耐震構造建造物をも提供せんとするものである。
【課題を解決するための手段】
【０００６】
請求項１に係る発明は、基礎上に立設された複数本の柱と、前記基礎上に設けられた床と、前記柱の上部に設けられた屋根と、前記柱の外側に設けられた壁体とにより内部空間を形成してなる建造物であって、アンカーボルトが前記基礎を貫通して地盤の支持層まで打ち込まれてなることを特徴とする耐震構造建造物に関する。
請求項２に係る発明は、前記アンカーボルトが、前記柱の内部及び基礎を貫通して地中に打ち込まれてなるとともに、前記柱の内部にはモルタルが充填されてなることを特徴とする請求項１記載の耐震構造建造物に関する。
請求項３に係る発明は、前記アンカーボルトが、前記柱の立設位置と異なる位置において基礎を貫通して地中に打ち込まれてなることを特徴とする請求項１記載の耐震構造建造物に関する。
請求項４に係る発明は、複数のアンカーボルトが、複数の柱の近傍位置において夫々該柱と平行に天井部まで上方に延出されてなり、これらアンカーボルトは夫々近傍の柱に対して固定されてなるとともに、前記天井部において互いに連結されてなることを特徴とする請求項３記載の耐震構造建造物に関する。
【０００７】
請求項５に係る発明は、前記複数のアンカーボルトが、少なくとも建造物の四隅の柱に沿って設けられた４本のアンカーボルトを含むことを特徴とする請求項４記載の耐震構造建造物に関する。
請求項６に係る発明は、隣り合う柱間を繋ぐように補強材が架設されてなることを特徴とする請求項１乃至５いずれかに記載の耐震構造建造物に関する。
請求項７に係る発明は、前記柱の振動を検知する振動センサーが設けられてなることを特徴とする請求項１乃至６いずれかに記載の耐震構造建造物に関する。
請求項８に係る発明は、現金自動支払機又は現金自動預払機等が設置された無人店舗であることを特徴とする請求項１乃至７いずれかに記載の耐震構造建造物に関する。
【発明の効果】
【０００８】
本発明に係る耐震構造建造物によれば、アンカーボルトが基礎を貫通して地盤の支持層まで打ち込まれているので、地盤が揺れたり傾いたりしても安定した支持層に固定されたアンカーボルトによって建造物の揺れや傾きが防止され、民家や簡易店舗などの小規模な建造物に対して簡易な構造によって充分な耐震性を持たせることが可能であり、特に埋立地などの地盤が弱い場所に設けられた建造物に対して耐震性を大きく向上させることができる。
また、現金自動支払機（ＣＤ）や現金自動預払機（ＡＴＭ）等が設置された無人店舗に適用することで、近年多発している重機を使用した現金の盗難事件を未然に防ぐことが可能となり、耐震性と防犯性を兼ね備えた耐震構造建造物が得られる。
【発明を実施するための最良の形態】
【０００９】
以下、本発明に係る耐震構造建造物の好適な実施形態について、図面を参照しつつ説明する。
図１は本発明に係る耐震構造建造物の第一実施形態を示す立面図であり、図２はその平面図である。尚、構造の理解を容易にするために、図１においては正面の壁、図２においては屋根をそれぞれ省略して建造物の内部が見える図としている。
尚、図示例においては、本発明に係る耐震構造建造物の好適な適用例として、現金自動預払機（ＡＴＭ）が設置された無人店舗が示されている。
【００１０】
本発明に係る耐震構造建造物は、基礎（１）の上部に立設された複数本（図示例では６本）の柱（２）と、前記基礎（１）の上部に設けられた床（３）と、前記柱（２）の上部に設けられた屋根（３３）と、前記柱（２）の外側に設けられた壁体（４）とにより内部空間（５）を形成してなる建造物である。
【００１１】
基礎（１）は、地面（Ｇ）の中に敷設された割りぐり石（６）の上部に設けられたコンクリート製の基礎である。この基礎（１）は、構築される建造物の大きさに応じてその数や形態を適宜設定することができ、独立基礎、布基礎、べた基礎のいずれであってもよい。
【００１２】
床（３）は、図示例では、基礎（１）の上部に打設した土間コンクリートから形成されているが、基礎（１）上に立設された柱（２）間を繋ぐように水平方向に鋼材を掛け渡してその上部に床板を敷設する構成や、基礎（１）上に設けた土台に接続した梁の上部に床板を敷設する構成などの他の構成を採用することもできる。尚、これらの床（３）の構成は、後述する他の実施形態についても同様に採用できるものである。
【００１３】
柱（２）は、角筒状の鋼材から形成されており、その内部にはアンカーボルト（７）が挿通されている。このアンカーボルト（７）は、柱（２）の内部、床（３）及び基礎（１）を貫通して、その下端は地中深く埋め込まれている。
尚、本発明において、アンカーボルト（７）はその床上部分（上方延出部と称す）については、その長さに応じて上方延出部を上下方向に複数の部材に分割することができる。例えば、後述する図３示の例では、カップラ（１５）によって上部分と下部分の２部材が接続されている。
【００１４】
本発明において、アンカーボルト（７）の地中に埋め込まれた部分（定着部）（７ａ）の長さは、少なくとも地盤の支持層（安定層）に達する長さとされる。
本発明においては、このようにアンカーボルト（７）が、柱（２）の内部、床（３）及び基礎（１）を貫通して地中深くの支持層まで打設されていることによって、優れた耐震性を得ることができる。
【００１５】
アンカーボルト（７）の下端は図示の如く直線状のものを使用してもよいが、Ｊ字状に湾曲されているＵターンアンカーを使用してもよい。Ｕターンアンカーを使用することにより、耐震性を更に向上させることが可能となる。
アンカーボルト（７）の少なくとも上端部の外周面には雄ねじが形成され、該雄ねじにはナット（８）が螺着されており、このナット（８）の螺着によってスペーサ（９）を介して床（３）及び基礎（１）をアンカーボルト（７）と連結している。
【００１６】
また、柱（２）内部にはモルタル又はコンクリートが充填されており、これによってアンカーボルト（７）が柱（２）内に固定一体化され、極めて優れた耐震性が発揮されるようになる。
そして、本発明では、アンカーボルト（７）を地中に打設した後に、ナット（８）を強く締め付けて、スペーサ（９）を介して柱内部に充填されたモルタル又はコンクリートの上面に押圧力を加えることによって、アンカーボルト（７）に鉛直上方向の張力を付与する。これにより、アンカーボルト（７）に大きなアンカー効果を発揮させて、非常に優れた耐震性を得ることを可能としている。
【００１７】
また、本発明は、上記のような構造を有し、柱（２）が強固に地面に固定されることで、例えば、現金自動支払機（ＣＤ）や現金自動預払機（ＡＴＭ）等の現金を取り扱う装置が設置された無人店舗に適用した場合において、近年多発しているパワーショベル等の重機を使用して店舗を破壊する窃盗を防止できるようになる。
【００１８】
図３は本発明に係る耐震構造建造物の第二実施形態を示す立面図である。
この第二実施形態においては、図示の如く、アンカーボルト（７）の上端部が更に上方に延長されており、アンカーボルト（７）が柱（２）内部の略全長にわたって挿通されるようになっている。この場合、アンカーボルト（７）の上端部は図示の如く柱（２）の内部で止めてもよいが、柱（２）の上端部から突出させて、この突出部においてナット（８）を螺着することもできる。
尚、いずれの場合も、アンカーボルト（７）を地中に打設した後に、ナット（８）を強く締め付けて、アンカーボルト（７）に鉛直上方向の張力を付与する。
【００１９】
更に、本発明においては、第三実施形態として、アンカーボルト（７）を柱（２）に貫通させずに、柱（２）の立設位置と異なる位置において基礎（１）を貫通して地中に打ち込む構成を採用することもできる。
図４（ａ）はこのような構成を採用した場合の立面図、（ｂ）はその平面図である。尚、これらの図では、建造物のアンカーボルト（７）が配置されている部分のみを抽出して示している。
【００２０】
図４示の例では、アンカーボルト（７）は柱（２）と近接する位置において、床（３）及び基礎（１）を貫通するように地中に打設されている。
具体的には、建造物の輪郭に沿って枠状に形成された基礎（１）を、柱（２）と近接する位置において内方に延設し、この延設部分を貫通するようにアンカーボルト（７）を打設している。そして、基礎（１）の延設部分から突出したアンカーボルト（７）の上端部分に形成された雄ねじにナット（８）を螺着し、このナット（８）の螺着によってスペーサ（９）を介して床（３）及び基礎（１）をアンカーボルト（７）と連結している。
尚、この場合も、アンカーボルト（７）を地中に打設した後に、ナット（８）を強く締め付けて、アンカーボルト（７）に鉛直上方向の張力を付与する。
【００２１】
本発明に係る耐震構造建造物におけるアンカーボルト（７）は、基礎（１）を貫通して地中に打設され且つ鉛直上方向の張力が付与されていればよく、アンカーボルト（７）の打設位置は特に限定されるものではない。即ち、柱（２）の内部を貫通させてもよいし、柱（２）の外部に近接させて設けてもよいし、また建造物の内部空間（５）外に設けてもよいし、内部空間（５）内に設けることも可能である。
【００２２】
上記した本発明に係る耐震構造建造物において、隣り合う柱（２）の間には、これらの柱同士を繋ぐように複数本の補強材（１０）が架設されている。これらの補強材（１０）は、例えばチャンネル鋼等の高強度材料からなる。
補強材（１０）の架設形態は、図示例ではＸ字状にクロスした形態が示されているが、十字状にクロスした形態としてもよいし、複数本の補強材を横方向に平行に並べて架設した形態としてもよい。
十字状にクロスした形態を採用する場合、縦方向の補強材（１０）については、柱（２）間を繋ぐように屋根の下部および床の下部に設けた上部梁と下部梁との間に架設すればよい。
【００２３】
このような補強材（１０）で柱（２）間を接続することによって、仮にコンクリート製等の壁体（４）が外力によって破壊されたとしても、補強材（１０）が残ることによって内部の大型機器等を外部に運び出すことが不可能となり、近年多発しているパワーショベル等の重機を使用した窃盗を防止できる極めて防犯性に優れた無人店舗が得られる。
【００２４】
現金自動支払機（ＣＤ）や現金自動預払機（ＡＴＭ）等の現金を取り扱う装置が設置された無人店舗は、通常図示の如く、店舗の内部空間（５）は仕切り壁（１２）によって、装置（１１）の正面側の客が出入りする区画（５ａ）と、装置（１１）の背面側の作業員が出入りする区画（５ｂ）とに仕切られている。
このような場合、両方の区画（５ａ）（５ｂ）の周囲に共に補強材（１０）を架設してもよいが、いずれか一方、例えば図示の如く装置（１１）の背面側の区画（５ｂ）のみに補強材（１０）を架設する構成としてもよい。
【００２５】
また、本発明においては、柱（２）の振動を検知する振動センサー（図示略）を設ける構成も好ましく採用できる。
このような振動センサーは、柱（２）に直接取り付けてもよいし、基礎（１）や補強材（１０）に取り付けて、間接的に柱の振動を検知するようにしてもよい。
振動センサーにより振動が検知されたときに、警告音が発生する構成や、警備会社に通報される構成とすることによって、現金を取り扱う装置が設置された無人店舗を重機で破壊する方法での窃盗を早期に発見して防止することが可能となる。
【００２６】
上記実施形態の耐震構造建造物は、図示したようなＣＤやＡＴＭ等の現金を取り扱う装置が設置された無人店舗に対して最も好適に適用可能であるが、適用可能な建造物は必ずしもこれに限定されず、他の種類の店舗や普通の民家などにも適用可能である。
【００２７】
図５は本発明に係る耐震構造建造物の第四実施形態の要部を示す一部立面図であり、図６はその天井部の平面図であり、図７は全体構造を示す概略立面図である。尚、この第四実施形態は、例えば木造２階建ての建造物に対して好適に適用できる。
第四実施形態の構造も、第三実施形態と同様に、アンカーボルト（７）は柱（２）の内部を貫通することなく、即ち柱（２）の立設位置と異なる位置において基礎（１）を貫通して地盤の支持層まで打ち込まれている。
そして、アンカーボルト（７）に形成された雄ねじにナット（８）を螺着し、このナット（８）の螺着によってスペーサ（９）を介して床（３）及び基礎（１）をアンカーボルト（７）と連結し、ナット（８）を強く締め付けることで、アンカーボルト（７）に鉛直上方向の張力が付与されている。
【００２８】
アンカーボルト（７）は、柱（２）の近傍位置において、柱（２）と平行に天井部まで上方に延出されている。
このアンカーボルト（７）は床上部分（上方延出部）において、カップラ（１５）により鉛直方向に連続するように接続された複数の部材から構成されており、上方延出部は１階と２階の間の梁（１３）及び天井部の梁（１４）を貫通している。尚、このアンカーボルト（７）の上方延出部は、外面にネジが刻設された鋼製の棒とされている。
【００２９】
アンカーボルト（７）の上方延出部は、所定の間隔で近傍の柱（２）に対して固定されている。この固定の間隔については、一定間隔であることが好ましいが、必ずしも全ての固定箇所を同じ間隔で設ける必要はない。また、固定箇所の数についても、特に限定されるものではなく、１箇所以上の任意の数に設定することができるが、耐震強度と施工性のバランスの点から１階につき３〜１０箇所程度とすることが好ましい。
【００３０】
更に、アンカーボルト（７）の上方延出部は、梁（１３）（１４）に対しても固定されている。固定方法は特に限定されないが、図示例では、ナット（１７）の締め付けによる固定方法が用いられている。すなわち、梁（１３）（１４）の上面及び下面においてそれぞれ、上方延出部の外面に螺着されたナット（１７）をワッシャ（１６）を介して梁へと締め付けている。
このように、地中深く打ち込まれたアンカーボルト（７）の上方延出部が、柱と梁の両方に固定されていることによって、非常に優れた耐震性を発揮することが可能となる。
【００３１】
また、上記したアンカーボルト（７）の上方延出部と柱（２）の固定方法についても特に限定されないが、図示例では２種類の方法が用いられている。
第一の方法は、梁（１３）の上面及び梁（１４）の下面において用いられている方法である。この方法は、図８に示すような羽子板ボルト（１８）を用い、その一方側に形成された屈曲部（１８ａ）をナット（１７）とワッシャ（１６）との間に挟持し、他方側に形成された雄ねじ部（１８ｂ）を柱（２）に対して直角に貫通させて他端部を柱（２）の外部に露出させ、この他端部にワッシャ（１９）を介してナット（２０）を螺着している。
尚、この第一の方法において、梁（１３）（１４）を形成する木材が割れないようにするために、図９に示すように、梁の周囲にゴム等からなるバンド（２４）を巻いて締め付ける構成を採用することもできる。
【００３２】
第二の方法は、梁から離れた位置において用いられている方法である。この方法には、図１０に示す固定金具（２１）と、図１１に示すスペーサ（２２）が用いられている。
図１０は固定金具（２１）を開いた状態を示しており、（ａ）は開いた状態を内面側から見た正面図、（ｂ）はその底面図である。固定金具（２１）は、ヒンジを介して２部材を開閉可能に枢着した構造であり、アンカーボルト（７）の上方延出部の雄ねじが螺合可能な雌ねじ部（２１ａ）と、ボルトを挿通可能な貫通孔（２１ｂ）が設けられている。
図１１（ａ）はスペーサ（２２）の正面図、（ｂ）はその平面図である。スペーサ（２２）は、長穴貫通孔（２２ａ）を有する正面視直角三角形状の一対のブロックからなり、その斜面同士が対向するように配置して使用される。
【００３３】
これら固定金具（２１）とスペーサ（２２）を用いた固定方法は以下の通りである。
先ず、固定金具（２１）を閉じてアンカーボルト（７）の上方延出部の適当な位置に螺着させる。次いで、固定金具（２１）と柱（２）との隙間にスペーサ（２２）を介装する。このとき、一対のスペーサ（２２）の相対位置を変化させることでその厚みを容易に調整することができる。そして最後に、ボルト（２３）を貫通孔（２１ｂ）及び長穴貫通孔（２２ａ）に挿通してその先端を柱（２）に対して螺着させる。これにより、柱（２）とアンカーボルト（７）が固定される。
【００３４】
但し、上記した固定方法はあくまでも一例であって、その具体的方法は上述の方法に限定されず、必ずしも上記した羽子板ボルト、固定金具、スペーサを用いなければならないものではない。
要するに、第一の方法については、梁の上面又は下面の位置において、梁とアンカーボルトの固定部位を利用してアンカーボルトと柱を固定する方法であればよく、第二の方法については、梁から離れた位置においてアンカーボルトと柱を固定する方法であればよく、例えば、第二の方法において、現場で加工した木片をスペーサとして用いることもできる。
【００３５】
この第四実施形態では、アンカーボルト（７）の上端部は、図６に示すように天井部において互いに連結されている。
図示例では、平面視長方形状の建造物の四隅に立設された柱に夫々沿うように４本のアンカーボルト（７）が設けられている。そして、これら４本のアンカーボルトは、対角線上に配置された連結棒（２５）と、梁（１４）に沿って配置された連結棒（２６）により、溶接等の任意の固定手段を用いて連結されている。
このように、柱に固定されたアンカーボルト同士を連結することによって、建造物の耐震性をより一層向上させることができる。
【００３６】
このように、柱（２）に沿って設けられた複数のアンカーボルト（７）の上端部を天井部で連結した場合、アンカーボルト自体が建造物の骨組みをなすような形態となる。
従って、建造物の基礎をつくる際に、同時にアンカーボルトにて建造物の骨組みを形成し、形成された骨組みに合わせて基礎上に建造物を構築するという方法を採ることも可能である。この場合、アンカーボルトに剛性をもたせるために、例えばアンカーボルト（７）の全体を鋼製の角管から構成することができる。
【００３７】
図７において、丸印及び三角印はアンカーボルト（７）と建造物が固定されている部分を示しており、丸印はナットの締め付け力による固定がなされている部分、三角印はボルトのねじ込みによる固定がなされている部分を示している。また、（２７）は削孔であって、この削孔（２７）の深さは土質によって決定される。
削孔（２７）にモルタルを注入することでアンカーボルト（７）を固定することができるが、このとき図１２に示すように、削孔（２７）の中に筒状の金網体（２８）を入れておくと、注入したモルタル（２９）が地中へと逃げるのを防ぐことができる。
【００３８】
また、図７においては、柱（２）の近傍位置以外の位置においてもアンカーボルト（７）が基礎（１）を貫通して地中に打ち込まれている状態が示されている。
尚、これらの位置にあるアンカーボルト（７）については、地盤の支持層まで打ち込む必要はなく、図示の如く比較的浅い位置までの打ち込みでも耐震性の補強は充分に達成されるが、支持層まで打ち込むことが妨げられるものではない。
これらの位置にあるアンカーボルト（７）は、第三実施形態のものと同様の長さであって天井部まで達していない。そして、図示していないが、アンカーボルト（７）の上端部分に形成された雄ねじにナットを螺着し、このナットの螺着によってスペーサを介して床（３）及び基礎（１）をアンカーボルト（７）と連結し、ナットを強く締め付けることで、アンカーボルト（７）に鉛直上方向の張力が付与されている。
このように、柱（２）の近傍位置以外の位置においても、アンカーボルト（７）を基礎（１）を貫通して地中に打ち込む構成とすることにより、耐震性をより向上させることが可能となる。
【００３９】
また、上記第四実施形態において、アンカーボルト（７）の上方延出部（床上部分）を、柱（２）をくり貫いてその内部を貫通させる構成を採ることも可能である。すなわち、本発明においては、全ての実施形態においてアンカーボルト（７）を柱（２）の内部に配置することが可能であり、このような形態を採ることでアンカーボルト（７）を隠すことができ、外観上見栄えがよくなる。
【産業上の利用可能性】
【００４０】
本発明は、民家等の木造建築物やＡＴＭ等が設置された無人店舗等の比較的小規模の建造物に対して高い耐震性を付与するために用いられる。
【図面の簡単な説明】
【００４１】
【図１】本発明に係る耐震構造建造物の第一実施形態を示す立面図である。
【図２】本発明に係る耐震構造建造物の第一実施形態を示す平面図である。
【図３】本発明に係る耐震構造建造物の第二実施形態を示す立面図である。
【図４】本発明に係る耐震構造建造物の第三実施形態を示す一部抽出図である。
【図５】本発明に係る耐震構造建造物の第四実施形態の要部を示す一部立面図である。
【図６】本発明に係る耐震構造建造物の第四実施形態の天井部の平面図である。
【図７】本発明に係る耐震構造建造物の第四実施形態の全体構造を示す概略立面図である。
【図８】本発明に係る耐震構造建造物の第四実施形態において用いられる羽子板ボルトを示す図である。
【図９】本発明に係る耐震構造建造物の第四実施形態において梁の周囲にバンドを巻いて締め付けた状態を示す図である。
【図１０】本発明に係る耐震構造建造物の第四実施形態において用いられる固定金具を示す図である。
【図１１】本発明に係る耐震構造建造物の第四実施形態において用いられるスペーサを示す図である。
【図１２】本発明に係る耐震構造建造物の第四実施形態におけるアンカーボルトの固定方法の一例を示す断面図である。
【符号の説明】
【００４２】
１      基礎
２      柱
３      床
４      壁体
５      内部空間
７      アンカーボルト
１０    補強材
１１    ＣＤやＡＴＭ等の現金を取り扱う装置
【図１】
2005098069.tif 000003
【図２】
2005098069.tif 000004
【図３】
2005098069.tif 000005
【図４】
2005098069.tif 000006
【図５】
2005098069.tif 000007
【図６】
2005098069.tif 000008
【図７】
2005098069.tif 000009
【図８】
2005098069.tif 000010
【図９】
2005098069.tif 000011
【図１０】
2005098069.tif 000012
【図１１】
2005098069.tif 000013
【図１２】
2005098069.tif 000014